(57)【要約】      （修正有）【課題】風等による揚力に対向でき、同時に、積雪荷重や地震荷重に対する強度を得ることができ、且つ、ソーラーパネルの温度上昇を抑えることを可能としたソーラーパネル用基礎及び該ソーラーパネル用基礎を使用してソーラーパネルを設置したソーラーパネルユニットを提供する。【解決手段】矩形状基版２の前端側に高さの低い前壁３、後端側に高さの高い後壁４及び左・右端に前・後壁３，４と連結する左・右側壁を設けてソーラーパネルを支持する立ち上げ部とし、該立ち上げ部によりその内側を基版２を底面とした空間部Ｓを形成したコンクリート製のソーラーパネル用基礎において、前壁３側にソーラーパネル上を伝わって流下した雨水及び／又は水供給手段からの水を空間部Ｓ内へ導入する水路７を設け、基版２上の空間部Ｓをソーラーパネルの冷却部とした。【選択図】図９
2013124449.tif 000002
【特許請求の範囲】
【請求項１】
矩形状基版の前端側に高さの低い前壁、後端側に高さの高い後壁及び左・右端に該前・後壁と連結する左・右側壁を設けてソーラーパネルを支持する立ち上げ部とし、該立ち上げ部によりその内側を該基版を底面とした空間部を形成したコンクリート製のソーラーパネル用基礎において、該前壁側にソーラーパネル上を伝わって流下した雨水及び／又は水供給手段からの水を該空間部内へ導入する水路を設け、該基版上の空間部をソーラーパネルの冷却部としたことを特徴とするソーラーパネル用基礎。
【請求項２】
矩形状基版の前端側に高さの低い前壁、後端側に高さの高い後壁を設けてソーラーパネルを支持する該基版からの立ち上げ部とし、該立ち上げ部によりその内側を該基版を底面とした空間部を形成したコンクリート製のソーラーパネル用基礎において、該前壁側にソーラーパネル上を伝わって流下した雨水及び／又は水供給手段からの水を該空間部内へ導入する水路を設け、該基版上の空間部をソーラーパネルの冷却部としたことを特徴とする請求項１記載のソーラーパネル用基礎。
【請求項３】
基版、前・後壁、左・右側壁又は基版、前・後壁は、吸水性の高い軽量コンクリート製材料としたことを特徴とする請求項１又は２記載のソーラーパネル用基礎。
【請求項４】
矩形状基版の前端側に高さの低い前壁、後端側に高さの高い後壁及び左・右端に該前・後壁と連結する左・右側壁を設けてソーラーパネルを支持する立ち上げ部とし、該立ち上げ部によりその内側を該基版を底面とした空間部を形成し、該前壁側にソーラーパネル上を伝わって流下した雨水及び／又は水供給手段からの水を該空間部内へ導入する水路を設けたコンクリート製のソーラーパネル用基礎を形成し、該ソーラーパネル用基礎の該空間部に保水性部材を該空間部の上方部を覆うようにして敷設し、更に、該保水性部材の上方部に間隔を有してソーラーパネルを敷設してなることを特徴とするソーラーパネルユニット。
【請求項５】
矩形状基版の前端側に高さの低い前壁、後端側に高さの高い後壁を設けてソーラーパネルを支持する立ち上げ部とし、該立ち上げ部によりその内側を該基版を底面とした空間部を形成し、該前壁側にソーラーパネル上を伝わって流下した雨水及び／又は水供給手段からの水を該空間部内へ導入する水路を設けたコンクリート製のソーラーパネル用基礎を形成し、該ソーラーパネル用基礎の該空間部に板状の保水性部材を配設し、更に、該保水性部材の上方部に間隔を有してソーラーパネルを敷設してなることを特徴とするソーラーパネルユニット。
【請求項６】
矩形状基版の前端側に高さの低い前壁、後端側に高さの高い後壁を設けてソーラーパネルを支持する該基版からの立ち上げ部とし、該立ち上げ部によりその内側を該基版を底面とした空間部を形成し、該前壁側にソーラーパネル上を伝わって流下した雨水及び／又は水供給手段からの水を該空間部内へ導入する水路を設けたコンクリート製のソーラーパネル用基礎を形成し、該空間部に塊状の保水性部材を載置し、更に、該保水性部材の上方部に間隔を有してソーラーパネルを敷設してなることを特徴とするソーラーパネルユニット。
【請求項７】
保水性部材とソーラーパネルとの間隔は、前・後壁間に高さのある部材を配設し、その上にソーラーパネルを敷設することにより形成したことを特徴とする請求項４乃至６のいずれか記載のソーラーパネルユニット。
【請求項８】
ソーラーパネルは、保水性部材上に間隔をもってその上方部全面に敷設し、該間隔は基版上の空間部及び／又は保水性部材と連通し、前壁側から後壁側への冷却空気の通路としてなることを特徴とする請求項４乃至７のいずれか記載のソーラーパネルユニット。
【請求項９】
保水性部材は、供給された水を内部に吸収して保持し、その水分を表面から発散させる保水性を有する多孔質製材料で形成したことを特徴とする請求項４乃至８のいずれか記載のソーラーパネルユニット。
【請求項１０】
保水性部材を塊状とし、基版上に載置し、その表面側にはリブ状の凹凸部を設けたことを特徴とする請求項６乃至９のいずれか記載のソーラーパネルユニット。
【請求項１１】
ソーラーパネル用基礎を普通コンクリート製材料とし、保水性部材は供給された水を内部に吸収して保持し、その水分を表面から発散させる保水性を有する多孔質製材料で形成したことを特徴とする請求項４乃至１０のいずれか記載のソーラーパネルユニット。
【発明の詳細な説明】
【技術分野】
【０００１】
本発明は、太陽光を受けてそのエネルギを電力に変換するためのソーラーパネルを設置する架台となるソーラーパネル用基礎及びそのソーラーパネル用基礎を架台として使用してソーラーパネルを設置したソーラーパネルユニットに関する。
【背景技術】
【０００２】
昨今、太陽光を受けてそのエネルギを電力に変換するためのソーラーパネルを使用した太陽光発電システムが注目されている。該ソーラーパネルは、地上或いは屋根等の屋外に設置されるが、その設置に際しては、太陽光を効率的に得るために水平面に対して一定の角度をもつ傾斜面をもって設置する必要がある。それらの該ソーラーパネルには風荷重、積雪荷重及び地震荷重等の自然界の様々な外力が作用し、その外力に対してソーラーパネルそのものの強度を高める他、該ソーラーパネルから伝わる外力に抗して安全に保持するための架台としての必要な強度を得る基礎が必要となる。また、該ソーラーパネル上に生じた降雨を速やかに処理する必要もある。
【０００３】
更に、現在主流となっているソーラーパネルは、結晶シリコン系太陽電池を使用しており、該太陽電池は、温度が上昇すると発電効率が低下するという問題点があった。例えば、日射量の多い夏季は、該太陽電池の表面温度は５０℃〜６０℃となり、その場合、発電量は１０％以上低下する現象が生じていた。
【０００４】
従来のソーラーパネルの架台となる基礎としては、図１１、１１に示す特許文献１、２のように、予め形成されたコンクリートブロックＡを現場において配設し、その上にフレーム材Ｂを組み立て固定し、ソーラーパネルＣの支持体とし、該ソーラーパネルＣからの自重や外力をフレーム材Ｂを介してコンクリートブロックＡの基礎へ伝えるように構成したもの、図１３に示す特許文献３のように、現場においてコンクリートＤを打設し、そのコンクリートＤ中に下部が埋設するようにして適所に設けた支柱Ｅを基礎架台とし、それらの上にソーラーパネルＦを設置するように構成したものがある。
【０００５】
また、図１４に示す特許文献４のように、斜めに設置したソーラーパネルＧの上端側に給水タンクＨを設置し、該給水タンクＨから水Ｉを流すことによりソーラーパネルＧ上に水Ｉが供給され、その水Ｉの気化熱により該ソーラーパネルＧを冷却する技術、図１５に示す特許文献５のように、ソーラーパネルＪ裏面側の冷却パイプＫ内に流体冷媒を流すことによって昇温を抑制する技術、図１６に示す特許文献６のように、ソーラーパネルＬの裏面側に容器Ｍを設け、該容器Ｍ内に流体を充填することにより該ソーラーパネルＬを冷却する技術が開示されている。
【０００６】
上記特許文献１、２のように、独立したコンクリートブロックＡを基礎とし、その上にフレーム材Ｂを組み立ててソーラーパネルＣの下地骨組とするものにあっては、ソーラーパネルと下面との間が通風路となり、結果的に該ソーラーパネルを冷却することが可能であるが、コンクリートブロックＡを含む組み立てた構築物全体が軽量のため、ソーラーパネルＣの下方に回り込んだ風により揚力が生じ、破損したり全体が移動する等の不安定なソーラーパネル支持体が構築されることになる。
【０００７】
上記揚力による浮き上がりを防止するためには、コンクリートブロックＡの使用数を増加するとか、基礎設置側の地盤や屋上床にアンカー等により該コンクリートブロックＡを強固に固定する必要があった。そのため、アンカー等の取り付け作業や地盤を掘削したり屋上床等の建物に損傷を与えることになり、必要に応じて防水処理等を十分に行わなければならない事態が生じていた。
【０００８】
また、特許文献３のように、現場においてコンクリートＤを打設するものにあっては、現場での作業が増加し、同時に、支柱Ｅの一部をそのコンクリートＤ中の適所に埋設する作業が必要となり、ソーラーパネルＦを設置するための施工精度も要求され、現場において熟練工や多くの時間を費やさなければならない必要があった。
【０００９】
また、上記特許文献４、５にあっては、ソーラーパネルの温度上昇を抑制することが可能であるが、特許文献４では、該ソーラーパネルの上端側に給水タンクを設置しなければならないし、特許文献５にあっては、冷却のための冷却装置を別途設けなければならなかった。また、特許文献６にあっては、容器に対してソーラーパネルを接着剤を用いて取着したり、該容器内に流体を供給しなければならず、また、空冷手段は併用できない等の様々な欠点があった。
【先行技術文献】
【特許文献】
【００１０】
【特許文献１】特開平１１−１７７１１４号公報
【特許文献２】特開２０１１−９１１６６号公報
【特許文献３】特開平８−２６９９７２号公報
【特許文献４】特開平８−１９５５０３号公報
【特許文献５】特開２００２−２０８７２１号公報
【特許文献６】特開２００５−２１７１８１号公報
【発明の概要】
【発明が解決しようとする課題】
【００１１】
本発明は、上記欠点を解決したもので、ソーラーパネルの架台となる基礎に水分により十分なる重さを備えさせることにより風等による揚力に対向できるようにし、同時に、積雪荷重や地震荷重に対する強度を得ることができ、また、アンカー等で基盤側に固定することなく所定場所に設置するだけでよく、その設置時における部材の軽量化と併せて現場での施工が極めて簡単となった。更に、様々に異なる大きさのソーラーパネルに対応できるようにし、且つ、ソーラーパネルの温度上昇を抑えることを可能としたソーラーパネル用基礎及び該ソーラーパネル用基礎を使用してソーラーパネルを設置したソーラーパネルユニットに関するものである。
【課題を解決するための手段】
【００１２】
本発明は、矩形状基版の前端側に高さの低い前壁、後端側に高さの高い後壁及び左・右端に該前・後壁と連結する左・右側壁を設けてソーラーパネルを支持する立ち上げ部とし、該立ち上げ部によりその内側を該基版を底面とした空間部を形成したコンクリート製のソーラーパネル用基礎において、該前壁側にソーラーパネル上を伝わって流下した雨水及び／又は水供給手段からの水を該空間部内へ導入する水路を設け、該基版上の空間部をソーラーパネルの冷却部としたソーラーパネル用基礎を特徴とする。
【００１３】
また、矩形状基版の前端側に高さの低い前壁、後端側に高さの高い後壁を設けてソーラーパネルを支持する該基版からの立ち上げ部とし、該立ち上げ部によりその内側を該基版を底面とした空間部を形成したコンクリート製のソーラーパネル用基礎において、該前壁側にソーラーパネル上を伝わって流下した雨水及び／又は水供給手段からの水を該空間部内へ導入する水路を設け、該基版上の空間部をソーラーパネルの冷却部としたソーラーパネル用基礎を特徴とする。
【００１４】
更に、基版、前・後壁、左・右側壁又は基版、前・後壁は、吸水性の高い軽量コンクリート製材料としたソーラーパネル用基礎を特徴とする。
【００１５】
また、矩形状基版の前端側に高さの低い前壁、後端側に高さの高い後壁及び左・右端に該前・後壁と連結する左・右側壁を設けてソーラーパネルを支持する立ち上げ部とし、該立ち上げ部によりその内側を該基版を底面とした空間部を形成し、該前壁側にソーラーパネル上を伝わって流下した雨水及び／又は水供給手段からの水を該空間部内へ導入する水路を設けたコンクリート製のソーラーパネル用基礎を形成し、該ソーラーパネル用基礎の該空間部に保水性部材を該空間部の上方部を覆うようにして敷設し、更に、該保水性部材の上方部に間隔を有してソーラーパネルを敷設してなるソーラーパネルユニットを特徴とする。
【００１６】
更に、矩形状基版の前端側に高さの低い前壁、後端側に高さの高い後壁を設けてソーラーパネルを支持する立ち上げ部とし、該立ち上げ部によりその内側を該基版を底面とした空間部を形成し、該前壁側にソーラーパネル上を伝わって流下した雨水及び／又は水供給手段からの水を該空間部内へ導入する水路を設けたコンクリート製のソーラーパネル用基礎を形成し、該ソーラーパネル用基礎の該空間部に板状の保水性部材を配設し、更に、該保水性部材の上方部に間隔を有してソーラーパネルを敷設してなるソーラーパネルユニットを特徴とする。
【００１７】
また、矩形状基版の前端側に高さの低い前壁、後端側に高さの高い後壁を設けてソーラーパネルを支持する該基版からの立ち上げ部とし、該立ち上げ部によりその内側を該基版を底面とした空間部を形成し、該前壁側にソーラーパネル上を伝わって流下した雨水及び／又は水供給手段からの水を該空間部内へ導入する水路を設けたコンクリート製のソーラーパネル用基礎を形成し、該空間部に塊状の保水性部材を載置し、更に、該保水性部材の上方部に間隔を有してソーラーパネルを敷設してなるソーラーパネルユニットを特徴とする。
【００１８】
更に、保水性部材とソーラーパネルとの間隔は、前・後壁間に高さのある部材を配設し、その上にソーラーパネルを敷設することにより形成したソーラーパネルユニットを特徴とする。
【００１９】
また、ソーラーパネルは、保水性部材上に間隔をもってその上方部全面に敷設し、該間隔は基版上の空間部及び／又は保水性部材と連通し、前壁側から後壁側への冷却空気の通路としてなるソーラーパネルユニットを特徴とする。
【００２０】
更に、保水性部材は、供給された水を内部に吸収して保持し、その水分を表面から発散させる保水性を有する多孔質製材料で形成したソーラーパネルユニットを特徴とする。
【００２１】
また、保水性部材を塊状とし、基版上に載置し、その表面側にはリブ状の凹凸部を設けたソーラーパネルユニットを特徴とする。
【００２２】
更に、ソーラーパネル用基礎を普通コンクリート製材料とし、保水性部材は供給された水を内部に吸収して保持し、その水分を表面から発散させる保水性を有する多孔質製材料で形成したソーラーパネルユニットを特徴とする。
【発明の効果】
【００２３】
本発明のソーラーパネル用基礎は、矩形状基版の周辺をコンクリート製の連続した布基礎状の前・後壁、左・右側壁或いは基版及びその前・後壁としたものを工場等において予め製造しているので強固で、通常の鉄骨で組み立てた基礎と比較して重量があり、風荷重、積雪荷重及び地震荷重等に対し十分な強度を得ることが可能となった。
【００２４】
また、該ソーラーパネル用基礎は、自重があるので、アンカーボルト等を使用することなく現場での所定箇所への設置のみでよく、且つ前壁及び後壁の外側面を内側に向けた傾斜面とすることにより風の流れを円滑とし、風等による揚力現象に対して風を逃がす構成により、揚力に十分に対応でき、それにより重量を緩和することができ、軽量コンクリート等の材料を使用することが可能となった。
【００２５】
更に、吸水性のあるコンクリート製材料や特に保水性の良好な軽量コンクリート製材料等で製造することにより、工場等で製造したブロック状の基礎の設置時は比較的軽量のため施工作業が容易で、設置後にあっては、吸水性や保水性の良好なコンクリート材には重量比で６０〜７０％に相当する水分が多量に吸収され、それにより重量が増加し、安定的なソーラーパネル用基礎とすることが可能となった。
【００２６】
従って、本発明のソーラーパネル用基礎を使用してソーラーパネルを設置したソーラーパネルユニットは、建物の屋上等への設置が容易であり、水分の湿潤時においては、風による揚力に対抗し、安定的なソーラーパネルユニットとすることが可能となった。
【００２７】
また、ソーラーパネルユニットに使用するコンクリート材及び保水性部材は、吸水性や保水性に優れ、ソーラーパネルの背面側に冷却空気を供給することにより、該コンクリートや保水性部材等より発散された気化熱により該ソーラーパネルの温度の上昇を防止することが可能となった。
【００２８】
また、ソーラーパネル用基礎上のソーラーパネルを取着する部材の取着位置の取替えや連結金具等を利用することにより様々に異なる大きさのソーラーパネルに対応することができ、現場での作業が簡単で、施工精度も大幅に上昇した。
【図面の簡単な説明】
【００２９】
【図１】本発明のソーラーパネル用基礎の斜視図。
【図２】同平面図。
【図３】同右側面図。
【図４】本発明のソーラーパネル用基礎の他の実施例の斜視図。
【図５】本発明のソーラーパネル用基礎の他の実施例の右側面図。
【図６】本発明のソーラーパネル用基礎上にソーラーパネルユニットとなる保水性部材を設置した斜視図。
【図７】本発明のソーラーパネル用基礎を使用したソーラーパネルユニットの保水性部材上にソーラーパネルを設置した状態の斜視図。
【図８】同側面図。
【図９】本発明のソーラーパネルユニットを併設した状態の他の実施例の斜視図。
【図１０】本発明のソーラーパネルユニットの他の実施例の側面図。
【図１１】ソーラーパネルユニットの従来例の斜視図。
【図１２】ソーラーパネルユニットの他の従来例の斜視図。
【図１３】ソーラーパネルを設置するためのコンクリート打設構築物の従来例の断面図。
【図１４】ソーラーパネルユニットの他の従来例の斜視図。
【図１５】ソーラーパネルユニットの他の従来例の概略側面図。
【図１６】ソーラーパネルユニットの他の従来例の概略側面図。
【発明を実施するための形態】
【００３０】
以下、本発明を実施するための最良の形態について、その実施例に沿って説明する。
【実施例１】
【００３１】
図１は本発明のソーラーパネル用基礎１の斜視図、図２は同平面図、図３は同右側面図を示している。
【００３２】
ソーラーパネル用基礎１は、吸水性のある普通コンクリート製材料又は特に保水性の良好な軽量コンクリート製材料で製造され、矩形状基版２の前端側に高さの低い前壁３、後端側に高さの高い後壁４及び前・後壁３、４と連続する左端側の左側壁５、右端側の右側壁６により、該基版２の周囲を立ち上げ、該立ち上げ壁によりその内側に基版２を底面とした空間部Ｓを構成している。
【００３３】
該前壁３及び後壁４は、基版２側を厚くし、上方側を漸次薄くなるように形成し、且つ前壁３の外側面及び後壁４の外側面を内側に向けた傾斜面としたことにより設置時の安定状態を増し、該前壁３及び後壁４に吹き付けた風を上方へ速やかに逃がすことを可能としている。
【００３４】
該前壁３は、ソーラーパネルＴの前端を保持する役割とともに、該ソーラーパネル用基礎１上に斜めに載置固定された後述するソーラーパネルＴの上面に沿って流下する雨水を受け入れる手段及び／又は別途水供給手段により外部から供給される水を該空間部Ｓに導入するために溝状に形成した水路７を設けている。該水路７は、該前壁３の一部を切欠し、且つ、該水路７と空間部Ｓに通じる連通孔８を設けることによりソーラーパネルの上面を流下する水が円滑に空間部Ｓ側に流れ込むように形成している。
【００３５】
他方、後壁４の下端部側には、基版２の底面から空間部Ｓと連通し、該空間部Ｓに空気を取り入れるための空気導入部９が設けられ、該後壁４の前方部及び該後壁４と左・右側壁５、６とが接する上方の箇所には、空間部Ｓの空気が該空間部Ｓより外部へ流出するための空気抜き部１０が設けられている。
【００３６】
上記水路７に連通した連通孔８は、該空間部Ｓの上方部に載置する後述する保水性部材Ｗの前端部側と接し或いは近接した位置に設けられているので、該水路７及び連通孔８を通じて流れ込んだ水は、後壁４の前面側に設けられた段部１１の上端部及び左・右側壁５、６の上端部上に載置支持された該保水性部材Ｗにその一部が吸収されることになる。
【００３７】
そして、多くの水は、ソーラーパネル用基礎１本体となる吸水性の良好な普通コンクリート製材料又は特に保水性の良好な軽量コンクリート製材料中に浸透して保水されることになるが、その他に基版２上にも溜められることになる。該基版２の後壁４側には、該基版２より立ち上げた堰１２が左・右側壁５、６間に設けられ、該堰１２よりオーバーフローした水は該空気導入部９より流出するので、該空間部Ｓには堰１２の高さまでの水が溜まることになる。
【００３８】
また、該前壁３側には該前壁３と左・右側壁５、６と接する該左・右側壁５、６の上部側に、空気の流入する空気導入溝部１３が形成され、外部から導入された低い位置からの空気が軽量コンクリート製材料本体及び空間部Ｓ内の湿気を気化熱として、上方部の該空気抜き部１０から外方へ排出されることになる。
【実施例２】
【００３９】
上記実施例１では、該保水性部材Ｗは、後壁４の段部１１及び左・右側壁５、６の上端部によって支持されているが、図４に示すように、該保水性部材Ｗを支持するための内側載置段部１４、１５、１６を後壁４の段部１１の内側及び左・右側壁５、６の内側に各々設けている。該内側載置段部１４、１５、１６に保水性部材Ｗを載置することにより、後述するソーラーパネルＴとの間に所定間隔の間隙を設けることができると同時に、保水性部材Ｗの前端部の位置を基版２側に近接させることができ、連通孔８より流入した水の多くを保水性部材Ｗに吸収させることが可能となる。その際、後壁４の該内側載置段部１４には空気抜き部１０と連通する貫通溝１７を適宜箇所に設けている。
【実施例３】
【００４０】
図５は、ソーラーパネル用基礎の他の実施例で、上記した実施例１、２の左・右側壁５、６を設けていないソーラーパネル用基礎１ａを示している。
【００４１】
矩形状基版２ａの前端側に高さの低い前壁３ａ、後端側に高さの高い後壁４ａを設けて、後述するソーラーパネルＴを支持する立ち上げ部とし、該立ち上げ部によりその内側を該基版２ａを底面とした空間部Ｓを形成し、該前壁３ａ側にソーラーパネルＴ上を伝わって流下した雨水及び／又は水供給手段からの水を該空間部Ｓ内へ導入する水路７ａを設けたコンクリート製のソーラーパネル用基礎１ａを形成している。左・右側壁が存在しないソーラーパネル用基礎１ａとしている。
【実施例４】
【００４２】
図６は、上述した実施例１、２のソーラーパネル用基礎１の後壁４の段部１１側及び左・右側壁５、６側の各々の上端部に保水性部材Ｗを載置した状態を示すソーラーパネルユニットを構築する途中の状態の斜視図である。該保水性部材Ｗの左・右側端部側にソーラーパネルＴを支持する高さのある枠材１８、１９を設けることにより、該保水性部材ＷとソーラーパネルＴとの間に所定間隔を設けている。
【００４３】
上記した普通コンクリート製材料や軽量コンクリート製材料よりなる本体及び水路７、連通孔８より供給された水等を保水した保水性部材Ｗ並びに空間部Ｓ内に溜まった水等により該空間部Ｓ内を湿気の飽和状態とさせ、それら空間部Ｓ内に浮遊している水分を気化させることにより冷気を発生させるものである。
【００４４】
上記軽量コンクリート製材料及び／又は保水性部材Ｗの実施例として、セメント、多孔質体及び水を混合し、セメントを硬化させることによって、所定の形状とし、セメントゲルの内部及び表面に多孔質体が分散配置される構造を有するものがよい。部材の内部には、表面に連通して開口する無数の毛管が形成される。この無数の毛管は、多孔質体の内部、隣接する多孔質体の間、多孔質体とセメントゲルとの間及びセメントゲルの内部などに形成される空隙、或いはこれらが互いに連続して形成される空隙で、ｐＦ２．７〜４．２のｐＦ域で水分を保持する第１毛管部と、ｐＦ４．２〜５．５のｐＦ域で水分を保持する第２毛管部とを含むものである。
【００４５】
セメントとしては、各種セメントを利用でき、無機質セメントを利用してもよいし、合成樹脂などの有機質セメントを利用してもよい。無機質セメントとしては、例えば、普通ポルトランドセメント或いはアルミナセメントを好適に用いることができる。
【００４６】
上記多孔質体は、その内部に多数の微細な空隙を有する粒状体で、０．５ｍｍ〜２.０ｍｍが好ましく、中でも１.０ｍｍ程度に粒径を揃えたものが好ましい。
【００４７】
該多孔質体の具体例としては、ケイ酸カルシウム保温材、ロックウール保温材、珪藻土焼成粒、ゼオライト、泥炭、木炭、バーミキュライト、ベントナイト、パーライト及び活性炭類等を利用できる。また、有機系或いは無機系の繊維を略球形状に丸めたものを利用することもできる。
【００４８】
また、軽量コンクリート製材料及び／又は保水性部材Ｗの材料として、保水率の極めて高い（例えば、保水率６０％以上）保水性能と耐候性を有する材料である保水セラミックス製材料を採用し、毛細管現象によって優れた蒸発性能を発揮するものを採用することもできる。
【実施例５】
【００４９】
図７は、平板状の該保水性部材Ｗ上にソーラーパネルＴを設置した斜視図、図７は、同右側面図を示している。上記したように、保水性部材ＷとソーラーパネルＴ間には高さのある枠材１８、１９を該保水性部材Ｗの周囲に設けることにより両者間に所定間隔が保持できるようにされている。該ソーラーパネルＴは、その前端部は、前壁３の突出部側で保持され、且つその全体はソーラーパネル用基礎１に載置又は適宜手段により固定されることになる。該ソーラーパネルＴの表面側に降下した雨水は、該ソーラーパネルＴの傾斜に沿って前壁３側へ流下し、該前壁３に設けた水路７及び連通孔８を通り、空間部Ｓ側へ流れ込むが、該連通孔８の空間部Ｓへの入口位置に保水性部材Ｗの先端部が位置しているので、流下した水の一部は該保水性部材Ｗに吸収されることになる。また、上記したように、基版２上に溜まった水は、気化したり、飽和水蒸気となり、空間部Ｓを構成する吸水性の良好な普通コンクリート製材料や特に保水性の良好な軽量コンクリート製材料及び保水性部材Ｗ等に吸収されることになる。
【００５０】
空気導入部９より外部の空気が導入され、空間部Ｓの上方に位置する水分の保持された保水性部材Ｗの下方より気化熱及び上方側へ上昇気流を生じさせることになる。また、普通コンクリート製材料や軽量コンクリート製材料及び保水性部材Ｗ等に留まっていた水分は、上方側へ放出され、それによる冷気をソーラーパネルＴの裏面側より付与することになる。そして、その空気は後壁４とソーラーパネルＴとの間に生じている空気抜き部１０より外部へ放出され、上記冷気の流れが循環されることになる。
【実施例６】
【００５１】
図９、１０は、本発明の上記した実施例３に示したソーラーパネル用基礎１ａ上にリブ状に凹凸が繰り返されている上面板を上面に設けた保水性ブロックＹを載置し、その上にソーラーパネルＴを敷設したソーラーパネルユニットを示している。
【００５２】
該保水性ブロックＹは、塊状の保水性部材よりなり、上記各実施例の保水性部材Ｗと同一材料で形成し、基版２ａ上に前壁３ａ側に立ち上り部２０、後壁４ａへかけて漸次立ち上がる略三角形状の左・右側壁２１、２２及び上面に傾斜方向に凹部と凸部が交互に出現する凹凸部２３よりなる上面部を設け、該立ち上り部２０と凹凸部２３との間に水路及び空気の流通口となる貫通長孔２４を設けた塊状の保水性部材としている。また、左・右側壁２１、２２の下方側の適宜箇所に貫通孔２５を設け、基版２ａの前方側には貫通長孔２４と上下の位置をずらして連通する空気導入部２６を設けている。また、該保水性ブロックＹの基版２ａ側には凹部を形成し、基版２ａ側にはその対向する位置に水抜き孔２７を設けている。これにより保水性ブロックＹの保水量を調整できるようにしている。
【００５３】
保水性ブロックＹの下方側の貫通孔２５は、雨水や他の水の導入孔又は該保水性ブロックＹの余剰水の排出孔としている。
【００５４】
該保水性ブロックＹ上面の凹凸部２３の周囲には、高さのある枠材２８、２９を設け、その上にソーラーパネルＴを敷設することになる。上記により、凹凸部２３の凹部は空気流通部となり、凸部の頂部側はソーラーパネルＴの下面側に一定間隔を有して対向する位置となる。該凹凸部２３や左・右側壁２１、２２を含め保水性ブロックＹ全体が保水性を有しているので、ソーラーパネルＴより流下した雨水や別途導入した水は、該ソーラーパネルＴと立ち上り部２０との隙間等より貫通長孔２４を通過し、基版２ａ側へと流入し、該保水性ブロックＹはそれらの水を吸収することになる。従って、該凹凸部２３を含め保水性ブロックＹは常に保水され、特に凹部の溝部内の空気を冷却し、且つ該ソーラーパネルＴを冷却することになる。
【実施例７】
【００５５】
上記実施例６では、基版２ａ上に前壁３ａ及び後壁４ａを設けたソーラーパネル用基礎１ａ上に保水性ブロックＹを載置し、その上にソーラーパネルＴを敷設しているが、上記保水性部材として台形状となる塊状の保水性ブロックＹに換えて、平版状或いは他の形状の保水性部材を採用し、下方側に空間部が形成されるように配設するソーラーパネルユニットの実施例もある。この場合、該保水性部材を載置するために前壁３ａ及び後壁４ａに段部を設けたり、別途基版２ａ上に枠材を組み立て、それを載置手段とすることができる。
【実施例８】
【００５６】
また、実施例６では、ソーラーパネル用基礎１ａと保水性部材となる保水性ブロックＹとを同一材料を採用する実施例としているが、上記各実施例６以外の他の実施例を含めソーラーパネル用基礎１ａ側を普通コンクリート製材料とし、保水性部材を保水性に優れた材料とするように、両者の材料を使い分けて使用する実施例もある。
【実施例９】
【００５７】
上記ソーラーパネル用基礎１、１ａは、その左側壁側を隣接する他のソーラーパネル用基礎１の右側壁側に接し或いは隣接させ、相互を連結することにより、図９に示すように、横方向へ適宜延設させることができる。
【００５８】
なお、上記各実施例の様々な構成を適宜組み合わせることにより他の実施例とすることができることはいうまでもない。
【符号の説明】
【００５９】
Ｓ                        空間部
Ｔ                        ソーラーパネル
Ｗ                        保水性部材
Ｙ                        保水性ブロック
１、１ａ                  ソーラーパネル用基礎
２、２ａ                  基版
３、３ａ                  前壁
４、４ａ                  後壁
５                        左側壁
６                        右側壁
７                        水路
８                        連通孔
９、２６                  空気導入部
１０                      空気抜き部
１１                      段部
１２                      堰
１３                      空気導入溝部
１４、１５、１６          内側載置段部
１７                      貫通溝
１８、１９、２８、２９    枠材
２０                      立ち上り部
２１                      左側壁
２２                      右側壁
２３                      凹凸部
２４                      貫通長孔
２５                      貫通孔
２７                      水抜き孔
【図１】
2013124449.tif 000003
【図２】
2013124449.tif 000004
【図３】
2013124449.tif 000005
【図４】
2013124449.tif 000006
【図５】
2013124449.tif 000007
【図６】
2013124449.tif 000008
【図７】
2013124449.tif 000009
【図８】
2013124449.tif 000010
【図９】
2013124449.tif 000011
【図１０】
2013124449.tif 000012
【図１１】
2013124449.tif 000013
【図１２】
2013124449.tif 000014
【図１３】
2013124449.tif 000015
【図１４】
2013124449.tif 000016
【図１５】
2013124449.tif 000017
【図１６】
2013124449.tif 000018